(57)【特許請求の範囲】
【請求項１】
ディスクが収納されるケースと、前記ケース内のディスク下方に移動可能に設けられてそのケースに形成された開口ホールを選択的に開閉するシャッタとを含み、
前記シャッタは、左右回転軸に各々回転可能に設けられて連動鋸歯部に噛み合った第１、２シャッタ部で構成されており、第１シャッタ部が一方向に回転すれば前記第２シャッタ部は逆方向に回転し、これにより第１、２シャッタ部の間が離れて前記開口ホールが開放される構成であるディスクカートリッジにおいて、
前記シャッタは、前記第１のシャッタ部の回転軸の近くに回転軸側支持部と先端側の部分に先端側支持部を突出して有し、前記第２のシャッタ部の回転軸の近くに回転軸側支持部と先端側の部分に先端側支持部を突出して有し、且つ、各先端側支持部の接近している端に該ケースに収容してあるディスクの中心側に下向きに傾斜した傾斜部を有する構成であり、
前記シャッタが閉じているときには、前記第１のシャッタ部の回転軸側支持部と先端側支持部、及び前記第２のシャッタ部の回転軸側支持部と先端側支持部が、夫々の頂部でもってディスクの最外郭縁部の非情報領域を支持し、
前記シャッタが開いたときには、各先端側支持部の端の前記二つの傾斜部がディスクの最外郭縁部の非情報領域を支持するようにしたことを特徴とするディスクカートリッジ。
【発明の詳細な説明】
【０００１】
【発明の属する技術分野】
本発明は、情報記録再生媒体のディスクを収納してホコリや指紋などの汚染源からその記録面を保護するディスクカートリッジに関する。
【０００２】
【従来の技術】
一般的にディスクカートリッジは情報記録再生媒体であるディスクを収納してディスクドライブ装置に装着されるものであって、図１に示されたように、ディスクカートリッジ１００はディスクＤを収納するケース１０１と、ケース１０１内に回転可能に設けられてディスクドライブ装置のピックアップ（図示せず）がディスクＤにアクセスできるようにケース１０１に形成された開口ホール１０２を選択的に開閉するシャッタ１１０とを含んで構成される。そして、参照符号１０３はディスクＤがホコリにより汚れることを防止するためにその収納空間を上方から密閉してホコリの流入を防止するカバーを示す。ところが、最近にはディスクＤの記録面にホコリがついていてもそれによる信号処理時の影響をソフトウェアでほとんどなくせる技術が発達されるにつれてカバー１０３は省略する勢いである。
【０００３】
このようなディスクカートリッジ１００をディスクドライブ装置に入れれば、図２Ａに示されたように、ディスクドライブ装置に設けられたオープニングレバー１２０がロッキング片１１１ａをまず押してシャッタ１１０の突起１１１ｃとケース１０１の溝１０１ａとのロッキングを解除させ、次いで、図２Ｂに示されたように干渉片１１１ｂを押してシャッタ１１０を回転させる。シャッタ１１０は左右回転軸１１０ａに各々回転可能に設けられて連動鋸歯部１１３に噛み合った第１、２シャッタ部１１１、１１２で構成されており、干渉片１１１ｂと一体に連結された第１シャッタ部１１１が時計回り方向に回転すれば前記第２シャッタ部１１２は反時計回り方向に回転し、これにより第１、２シャッタ部１１１、１１２の間が離れて開口ホール１０２が開放される。したがって、以後には開放された開口ホール１０２を通じてディスクドライブ装置のピックアップ（図示せず）がディスクＤ記録面にアクセスして情報の記録及び／または再生作業を行う。そして、図示されていないが、第１シャッタ部１１１とケース１０１の底面との間にはその第１シャッタ部１１１を図の反時計回り方向、すなわち、開口ホール１０２を閉じる方向に弾性加圧するトーションスプリングが回転軸１１０ａに設けられていて、オープニングレバー１２０により加わった力が除去されればシャッタ１１０を元来の閉鎖状態に戻す。
【０００４】
ところが、このような構成では、ケース１０１内にシャッタ１１０を設け、そのシャッタ１１０上にディスクＤを載せるために、シャッタ１１０の開閉動作時にディスク記録面（図のディスク下面）とシャッタ１１０との間に面接触が発生して、ディスク記録面にスクラッチなどの損傷が生じる恐れがある。このようなスクラッチは小さなホコリ粒子がつくこととは比較できない大きい外乱要素として作用できる。したがって、前記のようにシャッタ１１０を開閉する間にもディスクの記録面を保護できる構造が要求されている。
【０００５】
【発明が解決しようとする課題】
本発明は前記問題点を勘案したものであって、ケース内に設けられたシャッタの開閉動作時にもディスク記録面の安全を保証できるように改善されたディスクカートリッジを提供するのにその目的がある。
【０００６】
【課題が解決するための手段】
前記目的を達成するための本発明のディスクカートリッジは、ディスクが収納されるケースと、前記ケース内のディスク下方に移動可能に設けられてそのケースに形成された開口ホールを選択的に開閉するシャッタとを含むディスクカートリッジにおいて、前記シャッタには前記ディスクの非情報領域を支持するように突出した支持部が設けられていることを特徴とする。
【０００７】
前記目的を達成するための他の特徴によるディスクカートリッジは、ディスクが収納されるケースと、前記ケース内のディスク下方に移動可能に設けられてそのケースに形成された開口ホールを選択的に開閉するシャッタとを含むディスクカートリッジにおいて、前記ケースには前記シャッタと干渉しない位置に前記ディスクの非情報領域を支持するように突出した支持部が設けられていることを特徴とする。
【０００８】
前記目的を達成するためのさらに他の特徴によるディスクカートリッジは、ディスクが収納されるケースと、前記ケース内のディスク下方に移動可能に設けられてそのケースに形成された開口ホールを選択的に開閉するシャッタとを含むディスクカートリッジにおいて、前記ケースにはディスクの非情報領域であるクランピング領域を支持するように複数の支持部が設けられており、前記シャッタにはシャッタが開閉される時に前記支持部と干渉しないようにガイドホールが設けられていることを特徴とする。
【０００９】
【発明の実施の形態】
以下、添付した図を参照して本発明の望ましい実施例について詳細に説明する。
【００１０】
図３ないし図５は本発明の第１実施例によるディスクカートリッジを示す。
【００１１】
まず図３を参照すれば、ディスクカートリッジ２００はディスクＤを収納するケース２０１と、前記ディスクＤの下方でケース２０１に形成された開口ホール２０２を開閉するシャッタ２１０、そして選択的な要素としてケース２０１の上面を覆うカバー２０３を具備している。
【００１２】
ここで、シャッタ２１０はケース２０１の内部に相互対称的に回転するように設けられた第１、２シャッタ部２１１、２１２よりなる。したがって、第１、２シャッタ部２１１、２１２が図５のように隙間が開かれる方向に回転すれば開口ホール２０２が開放され、図３のように隙間が閉められる方向に回転すれば開口ホール２０２が閉鎖される。参照符号２１３は第１、２シャッタ部２１１、２１２を連動可能に連結する連動鋸歯部であって、これにより第１シャッタ部２１１が回転すれば第２シャッタ部２１２はそれと対称する方向に共に回転する。
【００１３】
そして、図示されていないが、第１シャッタ部２１１とケース２０１の底面との間にはその第１シャッタ部２１１を図の反時計回り方向、すなわち、開口ホール２０２を閉鎖する方向に弾性加圧するトーションスプリングが回転軸２１０ａに設けられており、オープニングレバー１２０により加わった力が除去されればシャッタ２１０を元来の閉鎖状態に戻す。
【００１４】
そして、第１、２シャッタ部２１１、２１２には前記ディスクＤの最外郭縁部Ｄ３に接触される支持部２２０、２３０が突出している。すなわち、前記ディスクＤには内周側のクランピング領域Ｄ１、情報が記録される情報領域Ｄ２及び、情報領域Ｄ２の外郭縁部Ｄ３が設けられているが、このうち非情報領域の一つである縁部Ｄ３を支持部２２０、２３０でもって支持することによって、情報領域Ｄ２とシャッタ２１０との接触を避けるようにする。このうち、図の上側に突出した支持部２２０は、図４に示されたように、ディスク円周に沿って形成された平面部２２１と、それからディスク中心側に下向き傾斜した傾斜部２２２とを具備する。したがって、図５から見れば、シャッタ２１０が閉められた状態で傾斜部２２２がディスクＤの情報領域Ｄ２を侵犯しているように見えるが、実際には傾斜があるために傾斜部２２２がディスクＤに接触しない。その代わりに、この傾斜部２２２はシャッタ２１０がオープンされた時にディスクＤの縁部Ｄ３を支持する。すなわち、シャッタ２１０の回転軸２１０ａがディスクＤの中心と一致しないために、シャッタ２１０が回転しながら開かれれば平面部２２１はディスクＤの縁部Ｄ３を支持する位置から若干外れる。この時、傾斜部２２２が平面部２２１の代わりに縁部Ｄ３を支持する。
【００１５】
このような構成のディスクカートリッジ２００をディスクドライブ装置内に入れれば、図５に示されたように、ディスクドライブ装置に設けられたオープニングレバー１２０がロッキング片２１１ａを押して突起２１１ｃと溝２０１ａとのロッキングを解除した後、干渉片２１１ｂを押して第１シャッタ部２１１を時計回り方向に回転させる。これにより、第２シャッタ部２１２は連動鋸歯部２１３により反時計回り方向に回転して第１、２シャッタ部２１１、２１２の間に開口ホール２０２が開放される。ところで、この時、前記ディスクＤには第１、２シャッタ部２１１、２１２の支持部２２０、２３０だけ接触されており、その支持部位も非情報領域であるディスクＤの縁部Ｄ３に限定されているために、シャッタ２１０の開閉動作時にも記録面の情報領域が損傷する危険はほとんどない。
【００１６】
また、反対にシャッタ２１０が開口ホール２０２を閉じて図３の状態に戻る時にも、支持部２２０、２３０とディスクＤの縁部Ｄ３とだけ接触した状態で動作するので、ディスクＤの情報領域Ｄ２は安全に保存できる。
【００１７】
次に、図６及び図７は、本発明の第２実施例によるディスクカートリッジを示す。
【００１８】
図で前述した第１実施例と同じ参照符号は同一機能を遂行する同一部材を示す。本実施例ではディスクＤの縁部Ｄ３を支持する支持部２４０をシャッタ２１０ではないケース２０１の底面に直接形成した点に特徴がある。すなわち、動くシャッタ２１０にはなく、固定されたケース２０１の底面に支持部２４０を形成してディスクＤを支持することによって、シャッタ２１０とディスクＤとの接触を元から防止したことが特徴である。もちろん、この支持部２４０はシャッタ２１０の回転領域と干渉しない位置に形成されねばならない。
【００１９】
同じく、このような構成のディスクカートリッジ２００をディスクドライブ装置内へ入れれば、図７に示されたように、ディスクドライブ装置に設けられたオープニングレバー１２０がロッキング片２１１ａを押して突起２１１ｃと溝２０１ａとのロッキングを解除した後、干渉片２１１ｂを押して第１シャッタ部２１１を時計回り方向に回転させる。それにより、第２シャッタ部２１２は連動鋸歯部２１３により反時計回り方向に回転し、第１、２シャッタ部２１１、２１２の間に開口ホール２０２が開放される。しかし、このようなシャッタ動作時にも前記ディスクＤは支持部２４０に支持されており、シャッタ２１０とは接触しないので、記録面の情報領域が損傷する恐れはない。
【００２０】
したがって、このようにケース２０１の内部に設けられたシャッタ２１０を開閉してもディスクＤの情報領域Ｄ２が損傷することを防止できる。
【００２１】
図８は本発明の第３実施例によるディスクカートリッジを示す分解斜視図、図９は図８に示されたＢ部分を拡大して示す図、図１０は図８に示されたＣ部分を拡大して示す図、図１１は図８に示されたディスクカートリッジのシャッタオープン状態を示す平面図である。
【００２２】
図で前述した実施例と同じ参照符号は同一機能を遂行する同一部材を示す。まず図８を参照すれば、本実施例によるディスクカートリッジ２００はディスクＤを収納するケース２０１と、前記ディスクＤの下方でケース２０１に形成された開口ホール２０２を開閉するシャッタ２１０とを具備している。
【００２３】
ケース２０１にはディスクＤの内周側の非情報領域であるクランピング領域Ｄ１に接触する複数の支持部２５０が突出して設けられている。そして、シャッタ２１０にはシャッタ２１０が開閉される時、支持部２５０と接触して干渉しないようにガイドホール２１５、２１６が切除されて形成されている。
【００２４】
図９と図１０を参照すれば、支持部２５０はケース２０１から延びてシャッタ２１０の上面に突出して設けられた突出部２５１と、突出部２５１の上面に設けられてディスクＤのクランピング領域Ｄ１を支持する接触部２５２とより構成されている。
【００２５】
符号２１５のガイドホールはシャッタ２１０が開閉される時、突出部２５１と接触して干渉しないようにシャッタ２１０に対向して円弧型の長ホールで形成されている。一方、符号２１６のガイドホールはシャッタ２１０が開閉される時、突出部２５１と接触して干渉しないように短ホールで形成されている。
【００２６】
接触部２５２はシャッタ２１０の上面よりも上側に位置しており、接触部２５２の一側の長さｌはガイドホール２１５、２１６の幅ｗよりも大きく設けられることが望ましい。したがって、シャッタ２１０が閉じられている状態で外部から力が加わって、すなわち、シャッタ２１０がディスクＤ方向に押される場合にも、シャッタ２１０は接触部２５２にかかってそれ以上押されることが防止される。したがって、シャッタ２１０はディスクＤの情報領域Ｄ２に接触しないのでディスクＤの情報領域Ｄ２の損傷が防止される。
【００２７】
したがって、ユーザがディスクカートリッジ２００を取扱う最中にシャッタ２１０を任意に押す場合にも、シャッタ２１０は支持部２５２にかかってディスクＤの情報領域Ｄ２に接触しない。
【００２８】
前記ディスクＤには内周側のクランピング領域Ｄ１、情報が記録される情報領域Ｄ２及び、情報領域Ｄ２の外郭縁部Ｄ３が設けられているが、このうち非情報領域の一つであるクランピング領域Ｄ１を支持部２５０でもって支持することによって、情報領域Ｄ２とシャッタ２１０との接触を防止でき、またシャッタ２１０が閉じられている場合にも支持部２５２でもって情報領域Ｄ２とシャッタ２１０との接触を防止できる。
【００２９】
本実施例で、支持部２５２は四角形であるが、本発明は四角形に限定されずに同じ機能をするものであれば円筒形などのように多様な変容が可能である。
【００３０】
前記のように構成されるディスクカートリッジの動作を詳細に説明すれば次の通りである。
【００３１】
本実施例によるディスクカートリッジ２００をディスクドライブ装置（図示せず）内へ入れれば、図１１に示されたようにディスクドライブ装置に設けられたオープニングレバー１２０がロッキング片２１１ａを押して突起２１１ｃと溝２０１ａとのロッキングを解除した後、干渉片２１１ｂを押して第１シャッタ部２１１を時計回り方向に回転させる。すると、第２シャッタ部２１２は連動鋸歯部２１３により反時計回り方向に回転して第１、２シャッタ部２１１、２１２の間に開口ホール２０２が開放される。
【００３２】
この時、前記ディスクＤのクランピング領域Ｄ１にのみ支持部２５２が接触しているので、シャッタ２１０の開閉動作時にも記録面の情報領域Ｄ２がスクラッチなどによって損傷する恐れはほとんどない。
【００３３】
また、反対にシャッタ２１０が開口ホール２０２を閉じて図８の状態に戻る時にも、支持部２５２とディスクＤのクランピング領域Ｄ１とだけが接触した状態で動作するので、ディスクＤ情報領域Ｄ２は安全に保存できる。
【００３４】
【発明の効果】
前述したように本発明のディスクカートリッジは、第１に、ケースやシャッタに形成された支持部がディスクの非情報領域にのみ接触するので開口ホールの開閉のためのシャッタの動作時にもディスク情報領域を安全に保存できる。
【００３５】
第２に、シャッタが閉められている状態で外部からシャッタに力が加わってもシャッタが支持部にかかってそれ以上押されなくなってディスク情報領域を保存できる。
【図面の簡単な説明】
【図１】従来のディスクカートリッジを示す斜視図である。
【図２Ａ】図１に示されたディスクカートリッジのシャッタ開閉状態を示す平面図である。
【図２Ｂ】図１に示されたディスクカートリッジのシャッタ開閉状態を示す平面図である。
【図３】本発明の第１実施例によるディスクカートリッジを示す斜視図である。
【図４】図３のＡ部を拡大して示す図である。
【図５】図３に示されたディスクカートリッジのシャッタオープン状態を示す平面図である。
【図６】本発明の第２実施例によるディスクカートリッジを示す斜視図である。
【図７】図６に示されたディスクカートリッジのシャッタオープン状態を示す平面図である。
【図８】本発明の第３実施例によるディスクカートリッジを示す分解斜視図である。
【図９】図８に示されたＢを拡大して示す図である。
【図１０】図８に示されたＣを拡大して示す図である。
【図１１】図８に示されたディスクカートリッジのシャッタオープン状態を示す平面図である。
【符号の説明】
２００  ディスクカートリッジ
２０１  ケース
２０２  開口ホール
２０３  カバー
２１０  シャッタ
２１０ａ  回転軸
２１１、２１２  第１、２シャッタ部
２１１ａ  ロッキング片
２１１ｂ  干渉片
２１１ｃ  突起
２２０、２３０  支持部
Ｄ      ディスク
Ｄ１    クランピング領域
Ｄ２    情報領域
Ｄ３    縁部
【図１】
0003818950.tif 000002
【図２Ａ】
0003818950.tif 000003
【図２Ｂ】
0003818950.tif 000004
【図３】
0003818950.tif 000005
【図４】
0003818950.tif 000006
【図５】
0003818950.tif 000007
【図６】
0003818950.tif 000008
【図７】
0003818950.tif 000009
【図８】
0003818950.tif 000010
【図９】
0003818950.tif 000011
【図１０】
0003818950.tif 000012
【図１１】
0003818950.tif 000013